(57)【要約】      （修正有）【課題】プレイ中にはスコアカードその他の大型物と共に鍵を携行することができ、入浴中に鍵を取られて盗難の被害にあうことのないゴルフ場用ロッカー構成を提供する。【解決手段】主錠を備えたロッカー本体１と、大型物の付された第一の主鍵と、第一の主鍵と補助鍵のいずれか一方を保持し他方を開放するロッカー本体内部に設けられた鍵交換装置３と、補助鍵と第二の主鍵とが付された腕巻きバンドセット４とから構成され、主錠は第一の主鍵及び第二の主鍵によって施解錠されることを特徴とする。【選択図】図２
0003184449.tif 000002
【実用新案登録請求の範囲】
【請求項１】
主錠を備えたロッカー本体と、
大型物の付された第一の主鍵と、
前記第一の主鍵と補助鍵のいずれか一方を保持し他方を開放する、前記ロッカー本体内部に設けられた鍵交換装置と、
前記補助鍵と第二の主鍵とが付された腕巻きバンドとから構成され、
前記主錠は前記第一の主鍵及び前記第二の主鍵によって施解錠されることを特徴とする、ゴルフ場用ロッカー構成。
【請求項２】
前記大型物がスコアカードであることを特徴とする、請求項１に記載のゴルフ場用ロッカー構成。
【考案の詳細な説明】
【技術分野】
【０００１】
本考案は、ゴルフ場においてプレイヤーの貴重品を保管するゴルフ場用ロッカー構成に関するものである。
【背景技術】
【０００２】
ゴルフ場においては、ゴルフをプレイしている間プレイヤーが持参した貴重品（現金、クレジットカード、その他）を保管するためのロッカー及び貴重品ロッカーが設けられている。プレイヤーは、ロッカーに貴重品を保管してプレイを楽しむことができる。
かかるロッカーの鍵については、プレイヤーの利便性及び紛失予防の観点から、スコアカードその他のプレイ中に必ず携行する大型物に付されることが多い。
しかし、大型物に付されることによって、以下の問題が発生する。プレイヤーはプレイの後に入浴することが多い。大型物を持って入浴することができず、鍵を浴場の脱衣籠に置いて入浴することになる。入浴中に鍵を取られて（鍵が磁気データによる場合にはスキミングされる場合もある）ロッカー及び貴重品ロッカーの中のものを盗まれる事故が多発している。
【０００３】
特許文献１には、盗難防止の目的ではないが、錠ケース（鍵交換装置）を用いてプレイヤーの荷物を確実かつ効率的に引き渡すシステムが開示されている。しかし、盗難防止を目的としておらず、キャディー等の判断に依存するものであり、システマチックな盗難防止を実現するものではなかった。
【先行技術文献】
【特許文献】
【０００４】
【特許文献１】特開２０１０−２６１１９１号公報
【考案の概要】
【考案が解決しようとする課題】
【０００５】
解決しようとする課題は、プレイ中にはスコアカードその他の大型物と共に鍵を携行することができ、入浴中に鍵を取られて盗難の被害にあうことのないゴルフ場用ロッカー構成を提供することである
。
【課題を解決するための手段】
【０００６】
本考案のゴルフ場用ロッカー構成は、
主錠を備えたロッカー本体と、
大型物の付された第一の主鍵と、
前記第一の主鍵と補助鍵のいずれか一方を保持し他方を開放する、前記ロッカー本体内部に設けられた鍵交換装置と、
前記補助鍵と第二の主鍵とが付された腕巻きバンドとから構成され、
前記主錠は前記第一の主鍵及び前記第二の主鍵によって施解錠されることを特徴とする。
【０００７】
第一の主鍵を持っているプレイヤーは、ロッカー本体の主錠を解錠し、鍵交換装置によって第二の主鍵を入手することができる。第二の主鍵は浴場の脱衣籠に置かずに腕巻きバンドを装着して入浴することができ、入浴中に鍵を取られて（鍵が磁気データによる場合にはスキミングされる場合もある）ロッカー及び貴重品ロッカーの中のものを盗まれることがない。
【０００８】
本考案のゴルフ場用ロッカー構成は、
前記大型物がスコアカードであることを特徴とする。
【０００９】
プレイ中に必ず携行する大型物としては、スコアカードが広く用いられている。
【考案の効果】
【００１０】
プレイ中にはスコアカードその他の大型物と共に鍵を携行することができ、入浴中に鍵を取られて盗難の被害にあうことのないゴルフ場用ロッカー構成が提供される。
【図面の簡単な説明】
【００１１】
【図１】図１は、ロッカー本体を示す図である。
【図２】図２は、ロッカー本体の内部を示す図である。
【図３】図３は、鍵交換装置を示す図である。
【図４】図４は、腕巻きバンドを示す図である。
【図５】図５は、第一の主鍵を示す図である。
【考案を実施するための形態】
【００１２】
（システムの構成）
図１は、ロッカー本体を示す図である。ロッカー本体１には主錠２が備えられている。主鍵２を施解錠してロッカー本体１の内部に貴重品等を出し入れできる。
図２は、ロッカー本体の内部を示す図である。ロッカー本体１の内部には、鍵交換装置３が備えられている。使用開始時においては、鍵交換装置３に腕巻きバンドセット４が保持されている。
【００１３】
図３は、鍵交換装置を示す図である。鍵交換装置３には、主鍵ホルダ３１と補助鍵ホルダ３２とが備えられている。主鍵ホルダ３１に主鍵を挿入して回転することにより補助鍵ホルダ３２から補助鍵を取り出すことができ、同時に主鍵が取出不能に保持される。補助鍵ホルダ３２に補助鍵を挿入することにより主鍵ホルダ３１から主鍵を取り出すことができ、同時に補助鍵が取出不能に保持される。全体として、鍵交換装置３は、主鍵及び補助鍵のいずれか一方を保持し、他方を取り出し可能にする。
なお、鍵交換装置３は、特許文献１にも記載があるように、広く一般に用いられているものである。本考案においても、広く一般に用いられているものを用いる。
【００１４】
図４は、腕巻きバンドを示す図である。腕巻きバンドセット４は、腕巻きバンド４１に補助鍵４２と第二の主鍵４３とを付したものである。補助鍵４２は鍵交換装置３の補助鍵ホルダ３２に挿入され、鍵交換装置３を操作する。
【００１５】
図５は、第一の主鍵を示す図である。第一の主鍵５１には、スコアカード５２が付されている。
【００１６】
第一の主鍵５１及び第二の主鍵４３は、共に、主錠２を施解錠することができる。
【００１７】
（使用時の操作）
プレイヤーは、ゴルフ場のフロントにおいてスコアカード５２の付された第一の主鍵５１を受け取る。ロッカー本体１に貴重品を入れ、第一の主鍵５１を用いて主錠２を施錠する。
プレイ中は、スコアカード５２と共に第一の主鍵５１を携行する。
【００１８】
プレイ終了後に、プレイヤーは入浴する。入浴に先立ち、第一の主鍵５１によって主錠２を解錠し、鍵交換装置３の主鍵ホルダ３１に第一の主鍵５１を挿入して回転する。これにより、補助鍵４２が補助鍵ホルダ３２から取り出し可能となり、プレイヤーは、補助鍵４２と第二の主鍵４３との付された腕巻きバンドセット４を得る。第一の主鍵５１は、主鍵ホルダ３１に保持される。プレイヤーは第二の主鍵４３によって主錠２を施錠する。
【００１９】
腕巻きバンドセット４は、入浴時に手首に装着することができ、浴場の脱衣籠に置いて入浴する必要がない。入浴中に鍵を取られてしまうことがない。なお、補助鍵４２及び第二の主鍵４３は、浴場における鍵の携行に広く用いられているように、腕巻きバンド４１の鍵挿入部（図示しない）によって保持されてもよい。
【００２０】
入浴を終えたプレイヤーは、第二の主鍵４３によってロッカー本体１を解錠し、ロッカー本体１の貴重品を取り出す。
【００２１】
その後、プレイヤーは、鍵交換装置３の補助鍵ホルダ３２に補助鍵４２を挿入して第一の主鍵５１及びスコアカード５２を取り出し、ゴルフ場のフロントに返却する。
【００２２】
以上、第一の主鍵５１及び第二の主鍵４３が通常の鍵であるとして説明したが、磁気データの記録されたカードである場合も同様である。プレイ中においても入浴中においても、第一の主鍵５１及び第二の主鍵４３の一方を携行することができ、他方は施錠されたロッカー本体１の中に保持されている。
【産業上の利用可能性】
【００２３】
プレイ中にはスコアカードその他の大型物と共に鍵を携行することができ、入浴中に鍵を取られて盗難の被害にあうことのないゴルフ場用ロッカー構成であり、多くのゴルフ場による利用が考えられる。
【符号の説明】
【００２４】
１    ロッカー本体
２    主錠
３    鍵交換装置
３１  主鍵ホルダ
３２  補助鍵ホルダ
４    腕巻きバンドセット
４１  腕巻きバンド
４２  補助鍵
４３  第二の主鍵
５１  第一の主鍵
５２  スコアカード
【図１】
0003184449.tif 000003
【図２】
0003184449.tif 000004
【図３】
0003184449.tif 000005
【図４】
0003184449.tif 000006
【図５】
0003184449.tif 000007